(57)【特許請求の範囲】
【請求項１】
被写体を撮像して画像情報を出力する撮像手段と、前記撮像手段により撮影された画像情報に対応する画像を画像表示部に表示する画像情報表示手段と、を備えた撮像装置において、
前記画像表示部に表示された画像内における任意の位置に所定領域を設定する所定領域設定手段と、
前記所定領域を示すマークを前記画像表示部に表示された画像内に表示する所定領域表示手段と、
前記所定領域の画像を電気的に拡大して前記画像表示部に表示する際のズーム倍率を設定するための第１の倍率設定手段と、
前記画像表示部に表示される画像全体のズーム倍率を設定するための第２の倍率設定手段と、を備え、
前記所定領域の画像を、前記第１の倍率設定手段で設定されたズーム倍率に基づき、電気的に拡大することで、所定領域の拡大画像を作成し、
前記所定領域周辺の画像を、前記第２の倍率設定手段で設定されたズーム倍率に基づき、電気的に拡大することで、所定領域周辺の拡大画像を作成し、
前記画面表示部に、前記所定領域の拡大画像と、前記所定領域周辺の拡大画像とを、重畳して表示することを特徴とする撮像装置。
【請求項２】
前記所定領域の画像に対応する画像情報のみを記録する記録手段を更に備えたことを特徴とする請求項１に記載の撮像装置。
【請求項３】
少なくとも前記画像表示部に表示される画像のズーム倍率と前記所定領域のズーム倍率のいずれか一方を表示する倍率表示手段を更に備えたことを特徴とする請求項１又は２に記載の撮像装置。
【請求項４】
前記所定領域の画像を電気的に拡大表示するか否かを判断する拡大表示判断手段を更に備え、
該拡大表示判断手段により電気的に拡大表示しないと判断された場合に、電気的な拡大表示を行なわずに前記所定領域の画像に対応する画像情報の記録を行なうことを特徴とする請求項１乃至３のいずれかに記載の撮像装置。
【請求項５】
前記所定領域を示すマークは、前記画像表示部に表示する画像に対して、前記所定領域を枠で囲んで表示するものであることを特徴とする請求項１乃至４のいずれかに記載の撮像装置。
【請求項６】
前記所定領域を示すマークは、前記画像表示部に表示する画像に対して、前記所定領域を示す十字マークの交差位置を該所定領域の略中心部と一致させたものであることを特徴とする請求項１乃至４のいずれかに記載の撮像装置。
【請求項７】
前記所定領域を示すマークとして、前記画像表示部に表示する画像に対して、前記所定領域を枠で囲んで表示するか若しくは前記所定領域を示す十字マークの交差位置を該所定領域の略中心部として表示するかの何れかを選択可能としたことを特徴とする請求項５又は６に記載の撮像装置。
【請求項８】
前記所定領域設定手段による所定領域の変更又は設定は、前記画面表示部に、前記所定領域の拡大画像と、前記所定領域周辺の拡大画像とを、重畳表示実行中も可能としたことを特徴とする請求項１乃至７のいずれかに記載の撮像装置。
【請求項９】
被写体を撮像して画像情報を出力する工程と、その画像情報に対応する画像を画像表示部に表示する工程と、を備えた撮像方法において、
前記画像表示部に表示された画像内における任意の位置に所定領域を設定する工程と、
前記所定領域を示すマークを前記画像表示部に表示された画像内に表示する工程と、
前記所定領域の画像を電気的に拡大して前記画像表示部に表示する際のズーム倍率を設定する工程と、
前記画像表示部に表示される画像全体のズーム倍率を設定する工程と、を有し、
前記所定領域の画像を、電気的に拡大することで、所定領域の拡大画像を作成し、
前記所定領域周辺の画像を、電気的に拡大することで、所定領域周辺の拡大画像を作成し、前記画面表示部に、前記所定領域の拡大画像と、前記所定領域周辺の拡大画像とを、重畳して表示することを特徴とする撮像方法。
【請求項１０】
被写体を撮像して画像情報を出力する撮像手段と、前記撮像手段により撮影された画像情報に対応する画像を画像表示部に表示する画像情報表示手段と、を備えた撮像装置のコンピュータを、
前記画像表示部に表示された画像内における任意の位置に所定領域を設定する所定領域設定手段と、前記所定領域を示すマークを前記画像表示部に表示された画像内に表示する所定領域表示手段、前記所定領域の画像を電気的に拡大して前記画像表示部に表示する際のズーム倍率を設定するための第１の倍率設定手段、前記画像表示部に表示される画像全体のズーム倍率を設定するための第２の倍率設定手段として機能させ、前記所定領域の画像を、前記第１の倍率設定手段で設定されたズーム倍率に基づき電気的に拡大することで、所定領域の拡大画像を作成し、前記所定領域周辺の画像を、前記第２の倍率設定手段で設定されたズーム倍率に基づき電気的に拡大することで、所定領域周辺の拡大画像を作成し、前記画面表示部に、前記所定領域の拡大画像と、前記所定領域周辺の拡大画像とを、重畳して表示させる手段として機能させることを特徴とするプログラム。
【請求項１１】
請求項１０に記載のプログラムを記録したコンピュータ読取可能な記録媒体。
【発明の詳細な説明】
【０００１】
【発明の属する技術分野】
この発明は、ディジタルズーム機能を有する撮像装置について、ズーム処理中及びズーム処理中でなくともディジタルズームエリアを変更することができ、あるいはディジタルズームエリア以外の画像を確認できるようにした撮像装置、撮像方法、プログラム、および記録媒体に関する。
【０００２】
【従来の技術】
いわゆるディジタルカメラに代表される撮像装置は、ズーム機能としてディジタルズーム（電子ズームとも言う）機能を有する。このディジタルズーム機能は、光学ズーム機能のようにズームレンズを用いて画像を拡大するというものではなく、電気信号として得られた画像信号に対して行われる幾何学的変換処理機能、すなわちズーム処理を意味する。
今まで、このズーム処理は、光学ズームと同様、被写体として得られたモニタ表示画面の中央部分を対象として行われるのが一般的である。すなわち、モニタ表示画面の中央部分の画像を拡大するようズーム処理が行われる。
また、このズーム処理を行う場合、モニタ表示画面には撮像画面が表示されることになるので、拡大しようとする画像範囲（ディジタルズームエリア）以外の画像つまりディジタルズームエリア周囲の状況、が確認できず撮像時不都合なことがしばしばある。ディジタルズームエリア周囲の状況を確認する先行技術としては、特開平６−１６５０１２号公報に開示するような、拡大した画像の一部にズーム処理以前の小画面を合成して表示する技術が存在する。
【特許文献１】
特開平６−１６５０１２号公報
【０００３】
【発明が解決しようとする課題】
しかしながら、レンズの向きを変えないで被写体のモニタ表示画面に表示された範囲内のどの位置についてもズーム処理ができれば、撮影者にとって非常に便利であり、またそのようなズーム機能が要望されている。
また、特許文献１に開示されるように、ディジタルズームエリア周囲の状況を確認するための小画面の合成は、画像合成手段が必要となり、コスト、画像処理速度、電池寿命の点から不都合の面がある。
本発明は、レンズの向きを変えないでモニタ表示画面に表示された範囲内のどの位置についてもズーム処理を行うことができ、また、先行技術のように小画面を合成することなくディジタルズームエリア周囲の状況を確認できるようにしたディジタルズーム機能付き撮像装置、撮像方法、及びプログラムの提供を目的とする。
【０００４】
【課題を解決するための手段】
上述の目的を達成するため、請求項１の発明は、被写体を撮像して画像情報を出力する撮像手段と、前記撮像手段により撮影された画像情報に対応する画像を画像表示部に表示する画像情報表示手段と、を備えた撮像装置において、前記画像表示部に表示された画像内における任意の位置に所定領域を設定する所定領域設定手段と、前記所定領域を示すマークを前記画像表示部に表示された画像内に表示する所定領域表示手段と、前記所定領域の画像を電気的に拡大して前記画像表示部に表示する際のズーム倍率を設定するための第１の倍率設定手段と、前記画像表示部に表示される画像全体のズーム倍率を設定するための第２の倍率設定手段と、を備え、前記所定領域の画像を、前記第１の倍率設定手段で設定されたズーム倍率に基づき、電気的に拡大することで、所定領域の拡大画像を作成し、前記所定領域周辺の画像を、前記第２の倍率設定手段で設定されたズーム倍率に基づき、電気的に拡大することで、所定領域周辺の拡大画像を作成し、前記画面表示部に、前記所定領域の拡大画像と、前記所定領域周辺の拡大画像とを、重畳して表示することを特徴とする。
請求項２の発明は、請求項１に記載の撮像装置において、前記所定領域の画像に対応する画像情報のみを記録する記録手段を更に備えたことを特徴とする。
請求項３の発明は、請求項１又は２の発明において、少なくとも前記画像表示部に表示される画像のズーム倍率と前記所定領域のズーム倍率のいずれか一方を表示する倍率表示手段を更に備えたことを特徴とする。
請求項４の発明は、請求項１乃至３のいずれかの発明において、前記所定領域の画像を電気的に拡大表示するか否かを判断する拡大表示判断手段を更に備え、  該拡大判断手段により電気的に拡大表示しないと判断された場合に、電気的な拡大表示を行なわずに前記所定領域の画像に対応する画像情報の記録を行なうことを特徴とする。
請求項５の発明は、請求項１乃至４のいずれかの発明において、前記所定領域を示すマークは、前記画像表示部に表示する画像に対して、前記所定領域を枠で囲んで表示するものであることを特徴とする。
請求項６の発明は、請求項１乃至４のいずれかの発明において、前記所定領域を示すマークは、前記画像表示部に表示する画像に対して、前記所定領域を示す十字マークの交差位置を該所定領域の略中心部と一致させたものであることを特徴とする。
【０００５】
請求項７の発明は、請求項５又は６の発明において、前記所定領域を示すマークとして、前記画像表示部に表示する画像に対して、前記所定領域を枠で囲んで表示するか若しくは前記所定領域を示す十字マークの交差位置を該所定領域の略中心部として表示するかの何れかを選択可能としたことを特徴とする。
請求項８の発明は、請求項１乃至７のいずれかの発明において、前記所定領域設定手段による所定領域の変更又は設定は、前記拡大表示手段による電気的な拡大表示を実行中も可能としたことを特徴とする。
請求項９の発明は、被写体を撮像して画像情報を出力する工程と、その画像情報に対応する画像を画像表示部に表示する工程と、を備えた撮像方法において、前記画像表示部に表示された画像内における任意の位置に所定領域を設定する工程と、前記所定領域を示すマークを前記画像表示部に表示された画像内に表示する工程と、前記所定領域の画像を電気的に拡大して前記画像表示部に表示する際のズーム倍率を設定する工程と、前記画像表示部に表示される画像全体のズーム倍率を設定する工程と、を有し、前記所定領域の画像を、電気的に拡大することで、所定領域の拡大画像を作成し、前記所定領域周辺の画像を、電気的に拡大することで、所定領域周辺の拡大画像を作成し、前記画面表示部に、前記所定領域の拡大画像と、前記所定領域周辺の拡大画像とを、重畳して表示することを特徴とする。
請求項１０の発明は、被写体を撮像して画像情報を出力する撮像手段と、前記撮像手段により撮影された画像情報に対応する画像を画像表示部に表示する画像情報表示手段と、を備えた撮像装置のコンピュータを、前記画像表示部に表示された画像内における任意の位置に所定領域を設定する所定領域設定手段と、前記所定領域を示すマークを前記画像表示部に表示された画像内に表示する所定領域表示手段、前記所定領域の画像を電気的に拡大して前記画像表示部に表示する際のズーム倍率を設定するための第１の倍率設定手段、前記画像表示部に表示される画像全体のズーム倍率を設定するための第２の倍率設定手段として機能させ、前記所定領域の画像を、前記第１の倍率設定手段で設定されたズーム倍率に基づき電気的に拡大することで、所定領域の拡大画像を作成し、前記所定領域周辺の画像を、前記第２の倍率設定手段で設定されたズーム倍率に基づき電気的に拡大することで、所定領域周辺の拡大画像を作成し、前記画面表示部に、前記所定領域の拡大画像と前記所定領域周辺の拡大画像とを、重畳して表示させる手段として機能させるためのプログラムである。
請求項１１の発明は、請求項１０に記載のプログラムを記録したコンピュータ読取可能な記録媒体である。
【０００６】
【発明の実施の形態】
以下、図を参照して本発明の実施の形態につき説明する。
図１は、本発明の撮像装置の一例として、ディジタルカメラの回路構成を示す。図１において、撮像装置は、光学装置１、画像処理装置３、及び電源装置５からなる。光学装置１は、被写体の光学画像を取り込む撮影レンズ系１０と絞り・シャッター系１１があり、撮影レンズ系１０には、ズームレンズ１２、駆動モータ１３、及びモータドライバ１４からなる光学ズーム部１５、フォーカスレンズ１６、駆動モータ１７、及びモータドライバ１８からなるフォーカス部１９を有し、絞り・シャッター系１１には、絞り・シャッター２０、駆動モータ２１、及びモータドライバ２２を有する。そして、各モータドライバ１４，１８，２２は、センサ（図示省略）のセンシング入力や操作部３３の操作入力に基づくＣＰＵ３０からの駆動指令により駆動制御される。また、ＲＯＭ３０１には、ＣＰＵ３０にて解読可能なコードで記述された制御プログラムが格納されている。このデジタルカメラの電源がオン状態になると、前記プログラムは不図示のメインメモリにロードされ、前記ＣＰＵ３０はそのプログラムに従って装置各部の動作を制御するとともに、制御に必要なデータ等を一時的にＲＡＭ３０２に保存する。なお、後述のように本実施形態における発明の動作は、前記ＲＯＭ３０１に格納された制御プログラムに従ってＣＰＵ３０により行なわれるものである。
画像処理装置３は、ＣＰＵ３０を中心とした画像処理部３１、表示部３２、及び操作部３３を有する。画像処理部３１は、まず、ＣＣＤ３４及びフロントエンドチップ３５が順に接続され、これら両者に信号発生器３６がそれぞれ接続されている。ここで、ＣＣＤ３４は、光学画像を光電変換するための固体撮像素子であり、フロントエンドチップ（Ｆ／Ｅ）３５は、画像ノイズ除去用相関二重サンプリング（ＣＤＳ）機能、利得調整・補正用ＡＧＣ機能、ディジタル信号変換用Ａ／Ｄ変換機能を有し、信号発生器（ＳＧ）３６は、ＣＰＵ３０によって制御されるＣＣＤ３４及びフロントエンド３５のタイミング信号発生器である。
【０００７】
更に、画像制御部３１は、フロントエンドチップ３５の後段にあって、ＤＲＡＭ３７が接続されたＩＰＰ（Image Pre Processor）３８を備え、順にＪＰＥＧコーダ３９、メモリ４０が接続される。そして、ＩＰＰ３８とＤＲＡＭ３７との間、ＩＰＰ３８とＪＰＥＧコーダ３９との間、及びＪＰＥＧコーダ３９とメモリ４０との間のみならず、これらＩＰＰ３８，ＪＰＥＧコーダ３９、メモリ４０とＣＰＵ３０及び表示部３２の液晶モニタ４１との間でも、それぞれバスにつながれて相互に信号データの授受が行われる。
ここで、ＩＰＰ３８は、画像変換演算器であり、フロントエンドチップ３５から入力されたディジタル画像信号をＲＧＢ色表現のディジタルカラー映像信号に変換し、次いでＹＵＶ色表現のディジタルカラー映像信号に変換する機能を有する。ＤＲＡＭ３７は、画像信号あるいは映像信号のデータをＩＰＰ３８との間でストアあるいはロードするためのメモリである。なお、後述するディジタルズーム機能は、このＩＰＰ３８による変換に際して、ＣＰＵ３０からの指令により一部分のみの画像のみを変換することによって実行される。
ＪＰＥＧコーダ３９は、カラー映像信号から色変更成分及び高周波成分をカットする画像圧縮、伸張機能を有し、メモリ４０は、圧縮後のカラー映像信号の記録装置である。なお、本発明の実施形態では、メモリ４０としてメモリカードを採用しているが、これに限らずその他の半導体メモリ、光メモリ等であってもよい。
画像処理装置３のうち、表示部３２は、画像処理部３１にて画像処理された画像を画面に表示する液晶モニタ４１、及び別途ＣＰＵ３０からの情報を表示するサブ液晶表示装置４２を有する。また、ＣＰＵ３０の操作入力装置として操作部３３を有する。この操作部３３の例としては、本デジタルカメラに設けられたシャッターボタン（レリーズボタン）、ズームボタン、十字キー等のボタン類に限らず、前記液晶モニタ４１上に設けられたいわゆるタッチパネルによるものや、リーモートコントロールによるものであってもよい。
なお、図１にあって、電源装置５はＤＣ／ＤＣコンバータ５０に電池５１及びＡＣアダプタ５２が接続される構成となっている。
【０００８】
本発明の実施形態にかかるディジタルズーム機能は、操作部３３の操作入力を契機として行われる。ここで、従来と同様の単なるディジタルズームの場合には、操作部３３のズーム操作にてＣＰＵ３０よりＩＰＰ３８へ画面の中央部分のみにあたる映像信号の変換指令が出力されて被写体である画面の中央部分のみが次第に拡大され、そのズーム倍率に当たる拡大画面そのものが液晶モニタ４１にて表示される。
本実施形態にあっては、液晶モニタ４１に表示され得る領域のうちで、所定の領域を枠表示或いは十字マークで表示し、これをマーキングエリアと称することとする。撮像した画像に対応する画像情報をメモリ４０に記録・保存する場合に、このマーキングエリアに表示された画像に対応する画像情報が記録されることとなる。また、デジタルズーム処理を行なう場合に、このマーキングエリアは液晶モニタ４１に表示される画像とは別個にデジタルズーム処理が行なわれる。このマーキングエリア表示方法として十字マークを使用する場合には、その交差部がマーキングエリアの略中央部と一致する。本発明に係る撮像装置は、液晶モニタ４１に表示された被写体画像である表示画面内のマーキングエリアの位置を変更し設定する処理が可能である。この場合には、操作部３３からの位置変更操作入力によって、液晶モニタ４１の画面上に現れたマーキングエリアを示す枠位置あるいは十字マーク位置をマーキングエリアの位置として画面内にて連続的にあるいは間欠的に移動させて、マーキングエリアの位置を設定する。なお、この操作部３３が十字ボタンやタッチパネルで構成されていれば、入力操作も容易に行なうことができる。ここで、マーキングエリアを枠表示すれば、液晶モニタ４１上におけるデジタルズーム処理が行なわれているマーキングエリアの位置と範囲を素早く把握できる。一方、マーキングエリアを十字マーク表示すれば、デジタルズーム処理が行なわれている所定領域の中心部を素早く把握できる。
この場合，ＣＰＵ３０では、画面内の枠位置や十字マーク位置をマーキングエリアの位置として読み込み、ＩＰＰ３８へマーキングエリア位置情報として送出する。そして、ＩＰＰ３８ではそのマーキングエリア位置を対象として画像の部分変換であるズーム処理が行われる。なお、このマーキングエリア位置の変更及び設定は、ズーム処理前でも可能であるが、既にズ−ム処理が行われている途中であっても分岐処理等により新たに変更及び設定が可能である。
【０００９】
更に、操作部３３の操作入力によって、マーキングエリアのズーム倍率と液晶モニタ４１上の表示エリアのズーム倍率とを変更して設定する処理も行われる。図３および図４を用いてこの処理を説明する。図３は、マーキングエリアを枠表示した場合の例を示し、図４は十字マークによりマーキングエリアを表した場合の例である。図３（ａ）〜（ｃ）及び図４（ａ）〜（ｃ）に示すように、マーキングエリアのズーム倍率は、高い倍率とし、表示すべき倍率は、マーキングエリアのズーム倍率よりも低くし（図３（ａ）（ｂ）（ｃ）、図４（ａ）（ｂ）（ｃ））、あるいは全くズームをかけない状態とする（図３（ａ）（ｂ）、図４（ａ）（ｂ））。このことにより、高いズーム倍率によって画角が狭まり、低いズーム倍率によって画角が広がるので、画面上マーキングエリアのズーム倍率画面の周囲も含めて表示画面に表示されることになり、ズーム処理とか撮影に当たってマーキングエリア周囲の状況が確認できる。図３、図４に示すようにマーキングエリアのズーム倍率と表示エリアの倍率との変更に際しては、操作部３３の操作入力にてサブ液晶表示装置４２に倍率が表示される。そして、ＣＰＵ３０からマーキングエリアのズーム倍率及び表示エリアの倍率に基づいてＩＰＰ３８に画像変換制御情報が送出される。ＩＰＰ３８では、この制御情報にてマーキングエリアのズーム倍率及び表示エリアの倍率に応じた範囲の画像変換が行われる。他方、液晶モニタ４１には、マーキングエリアのズーム倍率より小さな倍率の画面（図３（ａ）（ｂ）（ｃ）、図４（ａ）（ｂ）（ｃ））あるいはズームを全くかけない画像（図３（ａ）（ｂ）、図４（ａ）（ｂ））が表示される。なお、この表示エリアとマーキングエリアのズ−ム倍率の変更及び設定は、既にズ−ム処理が行われている途中であっても分岐処理等により新たに変更及び設定が可能である。なお、本実施の形態では、サブ液晶表示装置４２を設けて、それにズーム倍率を表示させているが、これに限られず、ＣＰＵ３０からの指令によりＩＰＰ３８でそれぞれのズーム倍率に対応する画像を形成し、液晶モニタ４１上に表示させてもよい。この場合には、サブ液晶表示装置４２を設けなくても、ユーザはズーム倍率の把握ができる。
前述のマーキングエリアの位置の変更と設定は、マーキングエリアの枠あるいは十字マークによる位置を利用するものであるが、この枠や十字マークにて同時にマーキングエリアを設定することができる。したがって、前述のマーキングエリアのズーム倍率を高い倍率とし、表示すべき倍率をマーキングエリアのズーム倍率よりも低くしたり、あるいは全くズームをかけない状態の場合、表示画面に枠の範囲あるいは十字マークを表示することにより撮像画像に対応するマーキングエリアを特定することができる。
【００１０】
図２は、本実施の形態に係る発明の撮像処理のフローチャートの一例を示す。このフローチャートに示す動作は上述のようにＲＯＭ３０１に格納された制御プログラムに従ってＣＰＵ３０により行なわれる動作である。
▲１▼撮像処理がスタートすると、ＣＰＵ３０は、マーキングエリアのズーム倍率がユーザにより設定または変更操作がなされたかを判断する（Ｓ１０１）。そして、ユーザの操作部３３への入力操作による設定または変更操作があった場合に、ＣＰＵ３０は、マーキングエリアのズーム倍率を設定または変更する。この場合に、ＣＰＵ３０は、その設定または変更されたズーム倍率に応じた大きさのマーキングエリア枠表示が液晶モニタ４１上の中央部に表示する（Ｓ１０２）。一方、マーキングエリアのズーム倍率の設定又は変更が行なわれなかった場合には、ＣＰＵ３０は、画面表示の変更を行なわない。
▲２▼次にＣＰＵ３０は、液晶モニタ４１に表示される画面表示（以下「表示エリア」という。）のズーム倍率がユーザにより設定又は変更操作がなされたかを判断する（Ｓ１０３）。そして、ユーザの操作部３３への入力操作による設定または変更操作があった場合に、ＣＰＵ３０は、表示エリアのズーム倍率を設定または変更する。この場合、ＣＰＵ３０は、その設定又は変更されたズーム倍率に応じた液晶モニタ４１の画面表示を行なう（Ｓ１０４）。この表示エリアの変更が行なわれるとマーキングエリアの枠表示の大きさも自動的に変更されることとなる。一方、表示エリアのズーム倍率の設定又は変更が行なわれなかった場合には、ＣＰＵ３０は、画面表示の変更を行なわない。
▲３▼次にＣＰＵ３０は、サブ液晶表示装置４２に、マーキングエリア及び表示エリアの双方またはいずれか一方のズーム倍率を表示する（Ｓ１０５）。なお、上述のように、液晶モニタ４１上にこれらのズーム倍率を表示するようにしてもよい。また、ＣＰＵ３０は、マーキングエリアと表示エリアのズーム倍率が設定又は変更される度に、それぞれのズーム倍率を設定又は変更するようにしてもよい。
【００１１】
▲４▼次にＣＰＵ３０は、マーキングエリアの位置がユーザにより設定又は変更操作されたかを判断する（Ｓ１０６）。そして、ユーザの操作部３３への入力操作による設定または変更操作があった場合に、ＣＰＵ３０は、マーキングエリアの位置の設定又は変更を行なう。この場合、ＣＰＵ３０は、その設定又は変更された位置にマーキングエリアの枠表示を行なう（Ｓ１０７）。一方、マーキングエリアの位置の設定または変更が行なわれなかった場合には、ＣＰＵ３０は、画面表示の変更を行なわない。
▲５▼次にＣＰＵ３０は、マーキングエリアの枠表示がユーザにより十字マーク表示に設定又は変更操作がなされたかを判断する（Ｓ１０８）。そして、ユーザの操作部３３への入力操作によるマーキングエリア表示の十字マーク表示に設定または変更操作がなされた場合には、ＣＰＵ３０は、その設定又は変更された十字マークによりマーキングエリアを表示する（Ｓ１０９）。一方、マーキングエリアの表示の設定又は変更が行なわれない場合には、ＣＰＵ３０は、画面表示を変更しない。
▲６▼ＣＰＵ３０は、ユーザによりマーキングエリアを液晶モニタ４１の画面表示として表示する要求はあったかを判断する（１１０）。そして、ユーザの操作部３３への入力操作によるマーキングエリアを表示エリアの表示とする操作があった場合には、ＣＰＵ３０は、マーキングエリアを液晶モニタ４１の表示画面として表示する（Ｓ１１１）。すなわち、図３（ａ）から（ｂ）又は図４（ａ）から（ｂ）に示す状態を両図の（ｄ）に示す状態にする処理である。ＣＰＵ３０は、マーキングエリアのズーム倍率が表示エリアのズーム倍率よりも高い場合には、表示エリアのズーム倍率をデジタルズーム処理によりマーキングエリアのズーム倍率とし（すなわち、マーキングエリアを表示エリアにデジタルズーム処理により拡大表示し）、さらにマーキングエリアの中央位置を表示エリアの中央位置に一致させることによりマーキングエリアを液晶モニタ４１の表示画面として表示することができる。また、ＣＰＵ３０は、マーキングエリアのズーム倍率と表示エリアのズーム倍率が同じ場合には、マーキングエリアの中央位置を表示エリアの中央位置に一致させることによりマーキングエリアを液晶モニタ４１の表示画面として表示することができる。要求がない場合には、ＣＰＵ３０はマーキングエリアを拡大表示させない。
【００１２】
▲７▼次にＣＰＵ３０は、ユーザによりシャッターが押されたか否かを判断する（Ｓ１１２）。そして、ユーザの操作部３３への入力操作によりシャッターが押された場合には、ＣＰＵ３０は、マーキングエリアに表示された画像に対応した画像情報がメモリ４０に記録する（Ｓ１１３）。ここで、記録される画像情報は、マーキングエリアをデジタルズーム処理したものであってもよいし、デジタルズーム処理を行っていないものであってもよい。前者であれば、後に画像処理により画像を加工する手間を省くことができる。後者を採用すれば、記録されるデータ容量を少なくすることができる。一方、シャッターが押されない場合には、ＣＰＵ３０は、最初の処理に戻る。また、ＣＰＵ３０は、その状態でシャッターが押されるまで待機する構成であってもよい。
以上のようにＣＰＵは、所定領域であるマーキングエリアを任意の位置に設定する所定領域設定手段と、所定領域を示すマークを画像表示部である液晶モニタ４１に表示する所定領域表示手段と、所定領域の画像に対応する画像情報のみをメモリ４０に記録する記録手段と、所定領域の画像をデジタルズーム処理して液晶モニタ４１に表示する拡大表示手段と、表示エリアのズーム倍率と所定領域のズーム倍率を設定するズーム倍率設定手段と、ズーム倍率をサブ液晶表示装置４２又は液晶モニタ４１に表示する倍率表示手段と、所定領域の画像をデジタルズーム処理するか否か判断する拡大表示判断手段と、液晶モニタ４１にマーキングエリアの枠表示または十字マークによる表示を行なう手段と、枠表示と十字マーク表示を選択させる手段として機能することとなる。
【００１３】
なお、上述の▲１▼から▲６▼の処理は、必ずこの順番に行なわれる必要はない。すなわち、▲１▼から▲６▼はユーザによる判断を伴うので、ユーザの任意の順番で▲１▼から▲６▼の処理を行うようにすればよい。また、Ｓ１０１、Ｓ１０３、Ｓ１０６、Ｓ１０８、Ｓ１１０の判断処理で「Ｙｅｓ」に該当する処理を割り込みにより行なわせるものであってもよい。さらに、撮像処理において、これら▲１▼から▲６▼の処理すべてを行うことも要しない。
また、本実施の形態では、制御プログラムはＲＯＭ３０１中に格納されている例を説明したが、これに限られず、例えばＣＤ−ＲＯＭ等の光ディスクやＨＤＤ等の磁気ディスク等可搬な情報記録媒体に記録されたものであってもよい。この場合、インターネットやパーソナルコンピュータを介して撮像装置内のＲＯＭ３０１部にインストールすることにより、本発明の動作を行なうこととなる。
【００１４】
【発明の効果】
以上説明したように表示画面とは別個にズーム処理をおこなうことができる所定領域の位置の変更と設定を行うことにより、画面中央部以外でも拡大処理ができ撮影者にとって非常に便利となる。また、その所定領域の周辺の画像を得ることができて撮像時の不都合もなくなる。ことに先行技術のように画像合成はないのでコスト、処理速度、電池寿命の点からも有利である。
【図面の簡単な説明】
【図１】ディジタルカメラの回路ブロック図。
【図２】撮像処理のフローチャート。
【図３】マーキングエリアを枠表示とした場合のモニタ表示の一例を示す図。
【図４】マーキングエリアを十字マーク表示とした場合のモニタ表示の一例を示す図。
【符号の説明】
３  画像処理装置、３０  ＣＰＵ、３１  画像処理部、３２  表示部、３３  操作部、３７  ＤＲＡＭ、３８  ＩＰＰ、４１  液晶モニタ。
【図１】
0004040951.tif 000002
【図２】
0004040951.tif 000003
【図３】
0004040951.tif 000004
【図４】
0004040951.tif 000005